【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
内部空間を有する容器本体と、
前記容器本体の外壁から前記内部空間に貫通して設けられ、前記容器本体の外側と前記内部空間をつなぐポートと、
前記容器本体に設けられるとともに、前記ポートから離れる方向に向かって順に配列された複数のヒータと、を備え、前記容器本体内に固体状燃料が収容されている燃料容器から燃料を供給する方法であって、
前記複数のヒータのうち前記ポートから遠いものを優先して発熱させることを特徴とする燃料供給方法。
【請求項２】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、連通部を有する複数の仕切板と、
前記複数の領域のそれぞれにおいて前記容器本体に設けられるとともに、前記各領域に前記ポートから前記ポートに離れる方向に向かって順に配列された複数のヒータと、を備え、前記複数の領域のそれぞれに固体状燃料が収容されている燃料容器から燃料を供給する方法であって、
前記複数のヒータのうち、固体状燃料の残量が容量の２０％以上の領域に対応する位置にあるヒータであって前記ポートから遠いものを優先して発熱させることを特徴とする燃料供給方法。
【請求項３】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、連通部を有する複数の仕切板と、
前記複数の領域のそれぞれにおいて前記容器本体に設けられるとともに、前記各領域に前記ポートから前記ポートに離れる方向に向かって順に配列された複数の温度センサー及び複数の電熱ヒータと、を備え、前記複数の領域のそれぞれに固体状燃料が収容されている燃料容器内の固体状燃料の目安残量を算出する方法であって、
前記複数の電熱ヒータのうち何れかを発熱させ、前記複数の温度センサーのうち当該電熱ヒータと同じ領域に設けられた一の温度センサーによる検出温度に対応した単位時間当たりの放出量に微小時間を乗じてその積を積分して得た放出量を燃料容量から減じて得た量を当該一の温度センサー及び当該電熱ヒータの設けられた領域内にある固体状燃料の目安残量とする目安残量算出方法。
【請求項４】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、連通部を有する複数の仕切板と、
前記複数の領域のそれぞれにおいて前記容器本体の内側に設けられるとともに、前記各領域に前記ポートから前記ポートに離れる方向に向かって順に配列された複数のヒータと、を備え、前記複数の領域のそれぞれに固体状燃料が収容されている燃料容器から燃料を供給する方法であって、
前記複数のヒータのうち何れかを発熱させている際に前記ポートから出る燃料の流量を検出し、その検出流量が少ない場合に、当該ヒータの発熱を停止するとともに次に前記ポートに近いヒータを発熱させることを特徴とする燃料供給方法。
【請求項５】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、連通部を有する複数の仕切板と、
前記複数の領域のそれぞれにおいて前記容器本体に設けられるとともに、前記各領域に前記ポートから前記ポートに離れる方向に向かって順に配列された複数の温度センサー及び複数の電熱ヒータと、を備え、前記複数の領域のそれぞれに固体状燃料が収容されている燃料容器から燃料を供給する方法であって、
前記複数の電熱ヒータのうち何れかを発熱させ、前記複数の温度センサーのうち当該電熱ヒータと同じ領域に設けられた一の温度センサーによる検出温度に対応した単位時間当たりの放出量に微小時間を乗じてその積を積分して得た放出量を燃料容量から減じて得た量を当該一の温度センサー及び当該電熱ヒータの設けられた領域内にある固体状燃料の目安残量とし、
当該電熱ヒータを発熱させている際に前記ポートから出る燃料の流量を検出し、その検出流量が少ない場合であって前記目安残量がゼロでない場合に、当該温度センサー及び当該電熱ヒータに加えて次に前記ポートに近い温度センサー及び電熱ヒータも発熱させることを特徴とする燃料供給方法。
【請求項６】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、連通部を有する複数の仕切板と、
前記複数の領域のそれぞれにおいて前記容器本体に設けられるとともに、前記各領域に前記ポートから前記ポートに離れる方向に向かって順に配列された複数の温度センサー及び複数の電熱ヒータと、を備え、前記複数の領域のそれぞれに固体状燃料が収容されている燃料容器から燃料を供給する方法であって、
前記複数の電熱ヒータのうち何れかを発熱させ、前記複数の温度センサーのうち当該電熱ヒータと同じ領域に設けられた一の温度センサーによる検出温度に対応した単位時間当たりの放出量に微小時間を乗じてその積を積分して得た放出量を燃料容量から減じて得た量を当該一の温度センサー及び当該電熱ヒータの設けられた領域内にある固体状燃料の目安残量とし、
当該電熱ヒータを発熱させている際に前記ポートから出る燃料の流量を検出し、その検出流量が少ない場合であって前記目安残量がゼロである場合に、当該温度センサー及び当該電熱ヒータの発熱を停止するとともに次に前記ポートに近い温度センサー及び電熱ヒータを発熱させることを特徴とする燃料供給方法。
【請求項７】
内部空間を有する容器本体と、
前記容器本体の外壁から前記内部空間に貫通して設けられ、前記容器本体の外側と前記内部空間をつなぐポートと、
前記容器本体に設けられる複数のヒータと、を備えることを特徴とする燃料容器。
【請求項８】
前記内部空間に設けられ、前記内部空間を複数の領域に分ける複数の仕切板を更に備え、
前記複数の領域に対応する位置に前記複数のヒータがそれぞれ配置され、
前記複数の仕切板は連通部を有し、
前記連通部によって、隣り合う領域が通じていることを特徴とする請求項７に記載の燃料容器。
【請求項９】
前記容器本体の内側に露出して設けられ、流路を有する伝熱部材を更に備えることを特徴とする請求項７又は請求項８に記載の燃料容器。
【請求項１０】
前記容器本体の内側に露出して設けられ、複数の流路を有する伝熱部材を更に備えることを特徴とする請求項７又は請求項８に記載の燃料容器。
【請求項１１】
前記複数のヒータが電熱材であることを特徴とする請求項７から１０の何れか一項に記載の燃料容器。
【請求項１２】
前記複数のヒータが温度センサー兼電熱ヒータであることを特徴とする請求項７から１０の何れか一項に記載の燃料容器。
【請求項１３】
前記複数のヒータのうち少なくとも１つに接した状態で設けられた伝熱部材を更に備えることを特徴とする請求項７から１２の何れか一項に記載の燃料容器。
【請求項１４】
前記伝熱部材を複数備え、前記複数の伝熱部材はそれぞれ前記複数のヒータのうち１つに対応する位置に設けられていることを特徴とする請求項１３に記載の燃料容器。
【請求項１５】
前記伝熱部材は、基端部が前記複数のヒータのうち少なくとも１つに接するとともに、前記内部空間内に突出した状態で設けられていることを特徴とする請求項１３又は１４に記載の燃料容器。
【請求項１６】
前記内部空間に収容され、温度によって燃料の放出量が変わる化合物を更に備えることを特徴とする請求項７から１５の何れか一項に記載の燃料容器。
【請求項１７】
前記化合物は固体状メタノールであることを特徴とする請求項１６に記載の燃料容器。
【請求項１８】
前記複数の仕切板によって分けられた複数の領域のそれぞれに固体状メタノールが充填されていることを特徴とする請求項８に記載の燃料容器。
【請求項１９】
請求項７から１８の何れか一項に記載の燃料容器と、
前記容器本体を着脱可能とし、前記ポートから供給された燃料により発電を行う前記発電装置本体と、を備えることを特徴とする発電装置。